(57)【要約】【課題】  右目用画像および左目用画像の２枚の画像を用いて立体視画像を表示する立体視画像表示装置において、立体視画像の表示と通常画像の表示とを兼用できるようにする。【解決手段】  右目用画像表示部４０と、左目用画像表示部４１と、ハーフミラー４２とを備えたモニタ９において、ハーフミラー４２を、右目用画像表示部４０の表示面４０ａと左目用画像表示部４１の表示面４１ａとの中間位置から右目用画像表示部４０および左目用画像表示部４１の後方位置まで水平方向に移動可能なように、レール４３ａが設けられた土台４３により保持する。【選択図】図４
2012098421.tif 000002
【特許請求の範囲】
【請求項１】
右目用画像と左目用画像の２枚の画像を用いた立体視画像および通常画像の両方を表示可能な立体視画像表示装置であって、
前記右目用画像および前記通常画像を表示する右目用画像表示手段と、
該右目用画像表示手段と水平に配され、前記左目用画像および前記通常画像を表示する左目用画像表示手段と、
前記右目用画像と前記左目用画像とを立体視画像として見えるように光学的に合成するハーフミラーと、
前記右目用画像表示手段の表示面と前記左目用画像表示手段の表示面との中間位置から、前記右目用画像表示手段の表示面前方および前記左目用画像表示手段の表示面前方に侵入しない位置まで、前記ハーフミラーを移動可能なハーフミラー移動機構とを備えてなることを特徴とする立体視画像表示装置。
【請求項２】
前記ハーフミラー移動機構が、前記右目用画像表示手段の表示面と前記左目用画像表示手段の表示面との中間位置から、前記右目用画像表示手段の表示面前方および前記左目用画像表示手段の表示面前方に侵入しない位置まで、前記ハーフミラーを水平方向に移動可能に構成されたものであることを特徴とする請求項１記載の立体視画像表示装置。
【請求項３】
前記ハーフミラー移動機構が、前記右目用画像表示手段の表示面と前記左目用画像表示手段の表示面との中間位置から、前記右目用画像表示手段の表示面前方および前記左目用画像表示手段の表示面前方に侵入しない位置まで、前記ハーフミラーを垂直方向に移動可能に構成されたものであることを特徴とする請求項１記載の立体視画像表示装置。
【請求項４】
前記ハーフミラー移動機構が、前記右目用画像表示手段または前記左目用画像表示手段の垂直方向の一辺を第１の回転軸として、前記ハーフミラーが前記右目用画像表示手段の表示面と前記左目用画像表示手段の表示面との中間位置から前記右目用画像表示手段の表示面近傍および／または前記左目用画像表示手段の表示面近傍まで回転し、かつ前記ハーフミラーが前記右目用画像表示手段の表示面近傍および／または前記左目用画像表示手段の表示面近傍にある際に、前記ハーフミラーの上辺を第２の回転軸として上方に回転可能に構成されたものであることを特徴とする請求項１記載の立体視画像表示装置。
【請求項５】
前記ハーフミラー移動機構が、前記ハーフミラーの下辺を回転軸として、前記ハーフミラーが垂直方向となる位置から水平方向となる位置まで回転可能に構成されたものであることを特徴とする請求項１記載の立体視画像表示装置。
【発明の詳細な説明】
【技術分野】
【０００１】
本発明は、右目用画像および左目用画像の２枚の画像を用いて立体視画像を表示する立体視画像表示装置に関するものである。
【背景技術】
【０００２】
従来、右目用画像および左目用画像の２枚の画像を組み合わせて表示することにより、視差を利用して立体視できることが知られている。このような立体視できる画像（以下、立体視画像またはステレオ画像という）は、同一の被写体を異なる位置から撮影して取得された互いに視差のある複数の画像に基づいて生成される。
【０００３】
そして、このような立体視画像の生成は、デジタルカメラやテレビなどの分野だけでなく、放射線画像撮影の分野においても利用されている。すなわち、被験者に対して互いに異なる方向から放射線を照射し、その被験者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる。（例えば特許文献１参照）
【先行技術文献】
【特許文献】
【０００４】
【特許文献１】特開２０１０−１１０５７１号公報
【特許文献２】特開２００３−００５１３０号公報
【特許文献３】特開平０５−２８５１２９号公報
【発明の概要】
【発明が解決しようとする課題】
【０００５】
ところで、上記のような立体視画像を表示するための立体視画像表示装置として、左右横並びの２つの表示画面とハーフミラーを備え、各表示画面に右目用画像と左目用画像とを各々表示し、ハーフミラーで右目用画像と左目用画像とを光学的に合成して立体視画像を表示する方式のモニターが提案されている。（例えば特許文献２、３参照）
このような方式の立体視画像表示装置における表示画面は、通常画像を表示するためのものと全く同じものとすることができるため、立体視画像の表示と通常画像の表示とを兼用できるようにすることが好ましいが、その場合、通常画像表示時にハーフミラーが表示の妨げとなってしまうという問題がある。
【０００６】
本発明は、上記の事情に鑑み、右目用画像および左目用画像の２枚の画像を用いて立体視画像を表示する立体視画像表示装置において、上記問題を解消したものを提供することを目的とする。
【課題を解決するための手段】
【０００７】
本発明の立体視画像表示装置は、右目用画像と左目用画像の２枚の画像を用いた立体視画像および通常画像の両方を表示可能な立体視画像表示装置であって、右目用画像および通常画像を表示する右目用画像表示手段と、右目用画像表示手段と水平に配され、左目用画像および通常画像を表示する左目用画像表示手段と、右目用画像と左目用画像とを立体視画像として見えるように光学的に合成するハーフミラーと、右目用画像表示手段の表示面と左目用画像表示手段の表示面との中間位置から、右目用画像表示手段の表示面前方および左目用画像表示手段の表示面前方に侵入しない位置まで、ハーフミラーを移動可能なハーフミラー移動機構とを備えてなることを特徴とするものである。
【０００８】
ここで、ハーフミラー移動機構は、右目用画像表示手段の表示面と左目用画像表示手段の表示面との中間位置から、右目用画像表示手段の表示面前方および左目用画像表示手段の表示面前方に侵入しない位置まで、ハーフミラーを水平方向に移動可能に構成されたものとしてもよい。
【０００９】
また、ハーフミラー移動機構は、右目用画像表示手段の表示面と左目用画像表示手段の表示面との中間位置から、右目用画像表示手段の表示面前方および左目用画像表示手段の表示面前方に侵入しない位置まで、ハーフミラーを垂直方向に移動可能に構成されたものとしてもよい。
【００１０】
また、ハーフミラー移動機構は、右目用画像表示手段または左目用画像表示手段の垂直方向の一辺を第１の回転軸として、ハーフミラーが右目用画像表示手段の表示面と左目用画像表示手段の表示面との中間位置から右目用画像表示手段の表示面近傍および／または左目用画像表示手段の表示面近傍まで回転し、かつハーフミラーが右目用画像表示手段の表示面近傍および／または左目用画像表示手段の表示面近傍にある際に、ハーフミラーの上辺を第２の回転軸として上方に回転可能に構成されたものとしてもよい。
【００１１】
また、ハーフミラー移動機構は、ハーフミラーの下辺を回転軸として、ハーフミラーが垂直方向となる位置から水平方向となる位置まで回転可能に構成されたものとしてもよい。
【発明の効果】
【００１２】
本発明の立体視画像表示装置によれば、右目用画像と左目用画像の２枚の画像を用いた立体視画像および通常画像の両方を表示可能な立体視画像表示装置において、右目用画像と左目用画像とを立体視画像として見えるように光学的に合成するハーフミラーを、右目用画像表示手段の表示面と左目用画像表示手段の表示面との中間位置から、右目用画像表示手段の表示面前方および左目用画像表示手段の表示面前方に侵入しない位置まで移動可能とするハーフミラー移動機構を設けたことにより、通常画像表示時にハーフミラーが表示の妨げとならないようにできるので、立体視画像の表示と通常画像の表示とを兼用可能とすることができる。
【００１３】
なお、ハーフミラー移動機構については、右目用画像表示手段の表示面と左目用画像表示手段の表示面との中間位置から、右目用画像表示手段の表示面前方および左目用画像表示手段の表示面前方に侵入しない位置まで、ハーフミラーを水平方向に移動可能に構成されたものとする、もしくは、右目用画像表示手段の表示面と左目用画像表示手段の表示面との中間位置から、右目用画像表示手段の表示面前方および左目用画像表示手段の表示面前方に侵入しない位置まで、ハーフミラーを垂直方向に移動可能に構成されたものとする、もしくは、右目用画像表示手段または左目用画像表示手段の垂直方向の一辺を第１の回転軸として、ハーフミラーが右目用画像表示手段の表示面と左目用画像表示手段の表示面との中間位置から右目用画像表示手段の表示面近傍および／または左目用画像表示手段の表示面近傍まで回転し、かつハーフミラーが右目用画像表示手段の表示面近傍および／または左目用画像表示手段の表示面近傍にある際に、ハーフミラーの上辺を第２の回転軸として上方に回転可能に構成されたものとする、もしくは、ハーフミラーの下辺を回転軸として、ハーフミラーが垂直方向となる位置から水平方向となる位置まで回転可能に構成されたものとすれば、本発明の立体視画像表示装置を容易に実現させることができる。
【図面の簡単な説明】
【００１４】
【図１】本発明の第１の実施の形態の立体視画像表示装置を用いた乳房用立体視画像撮影表示システムの概略構成図
【図２】図１に示す乳房用立体視画像撮影表示システムのアーム部を図１の右方向から見た図
【図３】図１に示す乳房用立体視画像撮影表示システムのコンピュータ内部の概略構成を示すブロック図
【図４】上記立体視画像表示装置の斜視図
【図５】上記立体視画像表示装置の立体視画像表示時の状態を示す上面図
【図６】上記立体視画像表示装置の通常画像表示時の状態を示す上面図
【図７】その他の立体視画像表示装置の立体視画像表示時の状態を示す上面図
【図８】その他の立体視画像表示装置のハーフミラー移動時の状態を示す上面図（１）
【図９】その他の立体視画像表示装置のハーフミラー移動時の状態を示す上面図（２）
【図１０】その他の立体視画像表示装置の通常画像表示時の状態を示す上面図
【図１１】本発明の第２の実施の形態の立体視画像表示装置の斜視図
【図１２】上記立体視画像表示装置の立体視画像表示時の状態を示す上面図
【図１３】上記立体視画像表示装置の通常画像表示時の状態を示す上面図
【図１４】本発明の第３の実施の形態の立体視画像表示装置の斜視図
【図１５】上記立体視画像表示装置の立体視画像表示時の状態を示す上面図
【図１６】上記立体視画像表示装置のハーフミラー移動時の状態を示す上面図
【図１７】図１６中Ａ矢指方向から見た上記立体視画像表示装置の側面図
【図１８】上記立体視画像表示装置の通常画像表示時の状態を示す側面図
【図１９】本発明の第４の実施の形態の立体視画像表示装置の斜視図
【図２０】上記立体視画像表示装置の立体視画像表示時の状態を示す上面図
【図２１】上記立体視画像表示装置の通常画像表示時の状態を示す上面図
【発明を実施するための形態】
【００１５】
以下、図面を参照して本発明の第１の実施の形態の立体視画像表示装置を用いた乳房用立体視画像撮影表示システムについて説明する。まず、本実施の形態の乳房用立体視画像撮影表示システム全体の概略構成について説明する。図１は本実施の形態の立体視画像表示装置を用いた乳房用立体視画像撮影表示システムの概略構成図、図２は図１に示す乳房用立体視画像撮影表示システムのアーム部を図１の右方向から見た図、図３は図１に示す乳房用立体視画像撮影表示システムのコンピュータ内部の概略構成を示すブロック図、図４は上記立体視画像表示装置の斜視図、図５は上記立体視画像表示装置の立体視画像表示時の状態を示す上面図、図６は上記立体視画像表示装置の通常画像表示時の状態を示す上面図、図７はその他の立体視画像表示装置の立体視画像表示時の状態を示す上面図、図８はその他の立体視画像表示装置のハーフミラー移動時の状態を示す上面図（１）、図９はその他の立体視画像表示装置のハーフミラー移動時の状態を示す上面図（２）、図１０はその他の立体視画像表示装置の通常画像表示時の状態を示す上面図である。
【００１６】
本実施形態の乳房用立体視画像撮影表示システム１は、図１に示すように、乳房画像撮影装置１０と、乳房画像撮影装置１０に接続されたコンピュータ８と、コンピュータ８に接続されたモニタ９（立体視画像表示装置）および入力部７とを備えている。
【００１７】
そして、乳房画像撮影装置１０は、図１に示すように、基台１１と、基台１１に対し垂直方向（Ｚ方向）に移動可能であり、かつ回転可能な回転軸１２と、回転軸１２により基台１１と連結されたアーム部１３を備えている。なお、図２には、図１の右方向から見たアーム部１３を示している。
【００１８】
アーム部１３はアルファベットのＣの形をしており、その一端には撮影台１４が、その他端には撮影台１４と対向するように放射線照射部１６が取り付けられている。アーム部１３の回転および垂直方向の移動は、基台１１に組み込まれたアームコントローラ３１により制御される。
【００１９】
撮影台１４の内部には、フラットパネルディテクタ等の放射線画像検出器１５と、放射線画像検出器１５からの電荷信号の読み出しを制御する検出器コントローラ３３が備えられている。また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００２０】
また、撮影台１４はアーム部１３に対し回転可能に構成されており、基台１１に対してアーム部１３が回転したときでも、撮影台１４の向きは基台１１に対し固定された向きとすることができる。
【００２１】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２２】
放射線照射部１６の中には放射線源１７と、放射線源コントローラ３２が収納されている。放射線源コントローラ３２は、放射線源１７から放射線を照射するタイミングと、放射線源１７における放射線発生条件（管電流、管電圧、時間等）を制御するものである。
【００２３】
また、アーム部１３の中央部には、撮影台１４の上方に配置されて乳房Ｍを押さえつけて圧迫する圧迫板１８と、その圧迫板１８を支持する支持部２０と、支持部２０を垂直方向（Ｚ方向）に移動させる移動機構１９が設けられている。圧迫板１８の位置、圧迫圧は、圧迫板コントローラ３４により制御される。
【００２４】
コンピュータ８は、中央処理装置（ＣＰＵ）および半導体メモリやハードディスクやＳＳＤ等のストレージデバイスなどを備えており、これらのハードウェアによって、図３に示すような制御部８ａ、データ記憶部８ｂおよび画像処理部８ｃが構成されている。
【００２５】
制御部８ａは、各種のコントローラ３１〜３４に対して所定の制御信号を出力し、システム全体の制御を行うものである。具体的な制御方法については後で詳述する。データ記憶部８ｂは、放射線画像検出器１５によって取得された撮影角度毎の放射線画像データ等を記憶するものである。画像処理部８ｃは種々の画像処理を施すためのものである。
【００２６】
入力部７は、例えば、キーボードやマウスなどのポインティングデバイスから構成されたものであり、立体カーソルの移動操作や、撮影条件や操作指示等の入力を受け付けるためのものである。
【００２７】
モニタ９は、右目用画像と左目用画像の２枚の画像を用いた立体視画像および通常画像の両方を表示可能なものであって、図４に示すように、右目用画像および通常画像を表示する右目用画像表示部４０と、右目用画像表示部４０と水平に配され、左目用画像および通常画像を表示する左目用画像表示部４１と、右目用画像と左目用画像とを立体視画像として見えるように光学的に合成するハーフミラー４２とを備えている。ハーフミラー４２は、レール４３ａが設けられた土台４３に、レール４３ａに沿って水平方向に移動可能に保持されている。
【００２８】
なお、ここでの水平方向とは、モニタ９の設置面に対して平行な方向を意味するが、ハーフミラー４２の移動方向は、モニタ９の設置面に対して完全に平行な方向に限らず、モニタ９の設置面に対して傾いていてもよい。
【００２９】
右目用画像表示部４０と左目用画像表示部４１における表示光は互いに直交する偏光となるように構成されている。ユーザーは、右目用画像を観察する右目用偏光レンズと左目用画像を観察する左目用偏光レンズを有する偏光メガネを装着し、左目用画像および右目用画像を左右の目でそれぞれ観察することで立体視画像を観察することができる。
【００３０】
このモニタ９において、立体視画像を表示する際は、図５に示すように、ハーフミラー４２を、右目用画像表示部４０の表示面４０ａと左目用画像表示部４１の表示面４１ａとの中間位置に移動させる。
【００３１】
なお、ハーフミラー４２の移動は、ユーザーにより手動で行なわせてもよいし、立体視画像表示の指示入力を受け付けるスイッチ等の入力部を設け、この入力部からの指示に基づいて自動的に移動させるようにしてもよいし、モニタ９に入力される放射線画像信号もしくは放射線画像信号の付帯情報等に基づいて立体視画像用の信号が入力されたことを検知した際に、自動的に移動させるようにしてもよい。
【００３２】
また、右目用画像表示部４０の表示面４０ａと左目用画像表示部４１の表示面４１ａとのなす角度は、１８０°未満であれば特に制限はないが、８０°から１２０°程度とするのが好ましく、９０°とするのが最も好ましい。
【００３３】
モニタ９に表示される立体視画像の観察は、図５中右側からでも左側からでもどちらでも行なえるが、ここでは右側から観察するものとして、立体視画像表示の仕組みを説明する。図５に示すように、モニタ９の右側から立体視画像を観察する場合、右目用画像表示部４０の表示面４０ａに表示された右目用画像はハーフミラー４２で反射し、左目用画像表示部４１の表示面４１ａに表示された左目用画像はハーフミラー４２を透過し、その結果、右目用画像と左目用画像とが光学的に合成され立体視画像として表示される。なお、モニタ９の左側から立体視画像を観察する場合、反射する画像と透過する画像が逆になるだけで、右側から立体視画像を観察する場合と同様の立体視画像が表示される。
【００３４】
次に、このモニタ９において、通常画像を表示する際は、図６に示すように、ハーフミラー４２を、右目用画像表示部４０の表示面４０ａ前方および左目用画像表示部４１の表示面４１ａ前方に侵入しない位置として、右目用画像表示部４０および左目用画像表示部４１の後方位置まで、レール４３ａに沿って水平方向に移動させる。
【００３５】
なお、通常画像とは、二次元画像であり、右目用画像および左目用画像を個別に観察する場合の二次元画像や、右目用画像および左目用画像以外の他の二次元画像を含む。
【００３６】
また、ハーフミラー４２の移動は、ユーザーにより手動で行なわせてもよいし、通常画像表示の指示入力を受け付けるスイッチ等の入力部を設け、この入力部からの指示に基づいて自動的に移動させるようにしてもよいし、モニタ９に入力される放射線画像信号もしくは放射線画像信号の付帯情報等に基づいて通常画像用の信号が入力されたことを検知した際に、自動的に移動させるようにしてもよい。
【００３７】
次に、本実施形態の乳房用立体視画像撮影表示システムの作用について説明する。
【００３８】
まず、撮影の際の動作について説明する。
【００３９】
最初に撮影台１４の上に乳房Ｍが設置され、圧迫板１８により乳房Ｍが所定の圧力によって圧迫される。
【００４０】
次に、入力部７おいて、２つの異なる撮影方向がなす角度（以下、輻輳角θという）および輻輳角θを構成する撮影角度θ'の組み合わせを含む種々の撮影条件が入力された後、撮影開始の指示が入力される。
【００４１】
そして、入力部７において撮影開始の指示があると、乳房Ｍの立体視画像の撮影が行われる。具体的には、まず、制御部８ａが、輻輳角θと輻輳角θを構成する撮影角度θ'の情報をアームコントローラ３１に出力する。なお、本実施形態においては、このときの輻輳角θの情報としてθ＝４°、輻輳角θを構成する撮影角度θ’の組み合わせとしてθ’＝±２°の組み合わせが設定されているものとするが、これに限られるものではなく、撮影者は入力部７において任意の輻輳角θを設定可能である。
【００４２】
アームコントローラ３１において、制御部８ａから出力された撮影角度θ’の情報が受け付けられ、アームコントローラ３１は、この撮影角度θ’の情報に基づいて、まず右目用の放射線画像を撮影するためにアーム部１３を検出面１５ａに垂直な方向に対して＋２°傾く撮影角度θ'となる制御信号を出力する。
【００４３】
アームコントローラ３１から出力された制御信号に応じてアーム部１３が＋２°の位置まで回転する。続いて制御部８ａは、放射線源コントローラ３２および検出器コントローラ３３に対して放射線の照射と放射線画像信号の読出しを行うよう制御信号を出力する。この制御信号に応じて、放射線源１７から放射線が照射され、乳房Ｍを撮影角度θ'が＋２°の方向から撮影した放射線画像が放射線検出器１５によって検出され、検出器コントローラ３３によって放射線画像信号が読み出され、コンピュータ８のデータ記憶部８ｂに記憶される。
【００４４】
続いて、まず左目用の放射線画像を撮影するためにアーム部１３を検出面１５ａに垂直な方向に対して−２°傾く撮影角度θ'となる制御信号を出力する。
【００４５】
アームコントローラ３１から出力された制御信号に応じてアーム部１３が−２°の位置まで回転する。続いて制御部８ａは、放射線源コントローラ３２および検出器コントローラ３３に対して放射線の照射と放射線画像信号の読出しを行うよう制御信号を出力する。この制御信号に応じて、放射線源１７から放射線が照射され、乳房Ｍを撮影角度θ'が−２°の方向から撮影した放射線画像が放射線検出器１５によって検出され、検出器コントローラ３３によって放射線画像信号が読み出され、コンピュータ８のデータ記憶部８ｂに記憶される。
【００４６】
次に、立体視画像表示の際の動作について説明する。
【００４７】
まず、コンピュータ８のデータ記憶部８ｂに記憶された右目用放射線画像および左目用放射線画像の２つの放射線画像信号がデータ記憶部８ｂから読み出された後、モニタ９の右目用画像表示部４０の表示面４０ａおよび左目用画像表示部４１の表示面４１ａに各画像が表示される。
【００４８】
この状態で、図５に示すように、ハーフミラー４２を右目用画像表示部４０の表示面４０ａと左目用画像表示部４１の表示面４１ａとの中間に位置するように移動させれば、立体視画像を観察させることができる。
【００４９】
また、図６に示すように、ハーフミラー４２を右目用画像表示部４０および左目用画像表示部４１の後方位置まで移動させれば、右目用画像および左目用画像を立体視画像としてではなく個別に二次元画像（通常画像）として観察させることができる。
【００５０】
なお、通常画像表示時は、右目用画像および左目用画像以外の画像を表示してもよい。
【００５１】
上記のような構成とすることにより、通常画像表示時にハーフミラー４２が表示の妨げとならないようにできるので、立体視画像の表示と通常画像の表示とを兼用可能とすることができる。
【００５２】
なお、本実施の形態において、ハーフミラー４２を水平方向に移動させる態様については、上記の態様に限定されるものではなく、右目用画像表示部４０の表示面４０ａと左目用画像表示部４１の表示面４１ａとの中間位置から、右目用画像表示部４０の表示面４０ａ前方および左目用画像表示部４１の表示面４１ａ前方に侵入しない位置まで、ハーフミラー４２を水平方向に移動可能に構成されたものであればどのようなものとしてもよい。
【００５３】
例えば、本実施の形態ではハーフミラー４２をパネル９の載置面に対して完全に平行な方向（水平方向）に移動させる態様について説明したが、これに限られるものではなく、土台４３をパネル９の載置面に対して傾けてもよい。こうすることで、ハーフミラー４２にかかる重力により下方に移動させる際のハーフミラー４２の移動を滑らかにすることができる。
【００５４】
また、図７（立体視画像表示状態）に示すように、ハーフミラー４２の垂直方向の一辺をヒンジ４４で保持するとともに、このヒンジ４４をＬ字形状のレール４３ｂに沿って水平方向に移動可能に保持するようにしてもよい。
【００５５】
この場合、図７に示す状態から、図８に示すように、ハーフミラー４２がレール４３ｂの長辺と平行になる位置までハーフミラー４２を回転させ、次に図９に示すように、レール４３ｂの長辺に沿ってヒンジ４４を水平移動させ、最後に図１０に示すように、レール４３ｂの短辺に沿ってヒンジ４４を水平移動させることにより、通常画像表示状態とすることができる。
【００５６】
このとき、右目用画像表示部４０の表示面４０ａと左目用画像表示部４１の表示面４１ａとが水平になるように、右目用画像表示部４０を土台４３上に移動させてもよい。
【００５７】
次に、本発明の第２の実施の形態の立体視画像表示装置について説明する。図１１は本実施の形態の立体視画像表示装置の斜視図、図１２は上記立体視画像表示装置の立体視画像表示時の状態を示す上面図、図１３は上記立体視画像表示装置の通常画像表示時の状態を示す上面図である。なおこの図１１〜１３において、図４中の要素と同等の要素には同番号を付してあり、それらについての説明は特に必要の無い限り省略する。
【００５８】
本実施の形態のモニタ９ａは、ハーフミラー４２の移動方向が、第１の実施の形態と比較して異なるものである。
【００５９】
モニタ９ａは、図１１に示すように、右目用画像表示部４０と、左目用画像表示部４１と、ハーフミラー４２と、設置台４５とを備えている。右目用画像表示部４０および左目用画像表示部４１は、設置台４５上に設置されている。またハーフミラー４２は、設置台４５に設けられたスリット４５ａ内において、設置台４５の画像表示部等の設置面に対して垂直方向に移動可能に保持されている。
【００６０】
このモニタ９ａにおいて、立体視画像を表示する際は、図１２に示すように、ハーフミラー４２を、右目用画像表示部４０の表示面４０ａと左目用画像表示部４１の表示面４１ａとの中間位置に移動させる。
【００６１】
次に、このモニタ９ａにおいて、通常画像を表示する際は、図１３に示すように、ハーフミラー４２を、右目用画像表示部４０の表示面４０ａ前方および左目用画像表示部４１の表示面４１ａ前方に侵入しない位置として、設置台４５の下方まで垂直方向に移動させる。
【００６２】
なお、ハーフミラー４２の移動は、第１の実施の形態と同様に、ユーザーにより手動で行なわせてもよいし、各画像表示の指示入力を受け付けるスイッチ等の入力部を設け、この入力部からの指示に基づいて自動的に移動させるようにしてもよいし、モニタ９に入力される放射線画像信号もしくは放射線画像信号の付帯情報等に基づいて、自動的に移動させるようにしてもよい。
【００６３】
このような構成としても、上記第１の実施の形態と同様の効果を得ることができる。
【００６４】
なお、本実施の形態において、ハーフミラー４２を垂直方向に移動させる態様については、上記の態様に限定されるものではなく、通常画像表示時にハーフミラー４２を右目用画像表示部４０の表示面４０ａおよび左目用画像表示部４１の表示面４１ａよりも高い位置に移動させるようにしてもよい。
【００６５】
次に、本発明の第３の実施の形態の立体視画像表示装置について説明する。図１４は本実施の形態の立体視画像表示装置の斜視図、図１５は上記立体視画像表示装置の立体視画像表示時の状態を示す上面図、図１６は上記立体視画像表示装置のハーフミラー移動時の状態を示す上面図、図１７は図１６中Ａ矢指方向から見た上記立体視画像表示装置の側面図、図１８は上記立体視画像表示装置の通常画像表示時の状態を示す側面図である。なおこの図１４〜１８において、図４中の要素と同等の要素には同番号を付してあり、それらについての説明は特に必要の無い限り省略する。
【００６６】
本実施の形態のモニタ９ｂは、ハーフミラー４２の移動方向が、第１の実施の形態と比較して異なるものである。
【００６７】
モニタ９ｂは、図１４に示すように、右目用画像表示部４０と、左目用画像表示部４１と、ハーフミラー４２とを備えている。またハーフミラー４２は、左目用画像表示部４１の垂直方向が第１の回転軸４６ａ、ハーフミラー４２の上辺が第２の回転軸４６ｂとなる２軸ヒンジ４６を介して左目用画像表示部４１に保持されている。
【００６８】
このモニタ９ｂにおいて、立体視画像を表示する際は、図１５に示すように、ハーフミラー４２を、右目用画像表示部４０の表示面４０ａと左目用画像表示部４１の表示面４１ａとの中間位置に移動させる。
【００６９】
次に、このモニタ９ｂにおいて、通常画像を表示する際は、図１５に示す状態から、図１６に示すように、ハーフミラー４２が左目用画像表示部４１の表示面４１ａに近接する位置まで第１の回転軸４６ａを回転軸としてハーフミラー４２を回転させる。この状態を図１６中Ａ矢指方向から見た側面図が図１７であり、この状態から、図１８に示すように、第２の回転軸４６ｂを回転軸としてハーフミラー４２を上方に回転させることにより、通常画像表示状態とすることができる。
【００７０】
なお、ハーフミラー４２の移動は、第１の実施の形態と同様に、ユーザーにより手動で行なわせてもよいし、各画像表示の指示入力を受け付けるスイッチ等の入力部を設け、この入力部からの指示に基づいて自動的に移動させるようにしてもよいし、モニタ９に入力される放射線画像信号もしくは放射線画像信号の付帯情報等に基づいて、自動的に移動させるようにしてもよい。
【００７１】
このような構成としても、上記第１の実施の形態と同様の効果を得ることができる。
【００７２】
次に、本発明の第４の実施の形態の立体視画像表示装置について説明する。図１９は本実施の形態の立体視画像表示装置の斜視図、図２０は上記立体視画像表示装置の立体視画像表示時の状態を示す上面図、図２１は上記立体視画像表示装置の通常画像表示時の状態を示す上面図である。なおこの図１９〜２１において、図４中の要素と同等の要素には同番号を付してあり、それらについての説明は特に必要の無い限り省略する。
【００７３】
本実施の形態のモニタ９ａは、ハーフミラー４２の移動方向が、第１の実施の形態と比較して異なるものである。
【００７４】
モニタ９ａは、図１１に示すように、右目用画像表示部４０と、左目用画像表示部４１と、ハーフミラー４２とを備えている。ハーフミラー４２は、ハーフミラー４２の下辺に取り付けられたヒンジ４７ａを介して土台４７に保持されている。
【００７５】
このモニタ９ａにおいて、立体視画像を表示する際は、図２０に示すように、ハーフミラー４２を、右目用画像表示部４０の表示面４０ａと左目用画像表示部４１の表示面４１ａとの中間位置に移動させる。
【００７６】
次に、このモニタ９ａにおいて、通常画像を表示する際は、図２１に示すように、ハーフミラー４２を、ヒンジ４７ａを回転軸として水平方向となる位置まで回転させる。このとき、ハーフミラー４２を図中右側に倒す場合は、右目用画像表示部４０がハーフミラー４２の回転移動の妨げとなるので、右目用画像表示部４０をハーフミラー４２の回転移動の妨げとならない位置に退避させる。ハーフミラー４２を図中左側に倒す場合は、左目用画像表示部４１を退避させる。
【００７７】
なお、ハーフミラー４２や画像表示部の移動は、第１の実施の形態と同様に、ユーザーにより手動で行なわせてもよいし、各画像表示の指示入力を受け付けるスイッチ等の入力部を設け、この入力部からの指示に基づいて自動的に移動させるようにしてもよいし、モニタ９に入力される放射線画像信号もしくは放射線画像信号の付帯情報等に基づいて、自動的に移動させるようにしてもよい。
【００７８】
このような構成としても、上記第１の実施の形態と同様の効果を得ることができる。
【００７９】
以上、本発明の好ましい実施の形態について説明したが、本発明は上記実施の形態に限定されるものではない。
【００８０】
例えば、右目用画像表示部４０と左目用画像表示部４１の配置については、上記実施の形態では、右目用画像表示部４０を右側、左目用画像表示部４１を左側に配しているが、右目用画像表示部４０を左側、左目用画像表示部４１を右側に配しても、全く同じように立体視画像を表示させることができる。
【００８１】
また、本発明の立体視画像表示装置の実施の形態として、乳房用立体視画像撮影表示システムと組み合わせた例を示したが、本発明は乳房用立体視画像撮影表示システムに限定されるものではなく、例えば胸部や頭部等を撮影する放射線画像撮影装置等、どのようなシステムとも組み合わせることができる。
【００８２】
また、上記以外にも、本発明の要旨を逸脱しない範囲において、各種の改良や変形を行なってもよいのは勿論である。
【符号の説明】
【００８３】
１     乳房用立体視画像撮影表示システム
７     入力部
８     コンピュータ
８ａ   制御部
８ｂ   データ記憶部
８ｃ    画像処理部
９、９ａ、９ｂ、９ｃ    モニタ
１０    乳房画像撮影装置
１１   基台
１２   回転軸
１３   アーム部
１４   撮影台
１５   放射線画像検出器
１６   放射線照射部
１７   放射線源
１８   圧迫板
３１   アームコントローラ
３２   放射線源コントローラ
３３   検出器コントローラ
３４   圧迫板コントローラ
４０    右目用画像表示部
４１    左目用画像表示部
４２    ハーフミラー
４３    土台
４３ａ    レール
４３ｂ    レール
４４    ヒンジ
４５    設置台
４５ａ    スリット
４６    ２軸ヒンジ
４７    土台
４７ａ    ヒンジ
【図１】
2012098421.tif 000003
【図２】
2012098421.tif 000004
【図３】
2012098421.tif 000005
【図４】
2012098421.tif 000006
【図５】
2012098421.tif 000007
【図６】
2012098421.tif 000008
【図７】
2012098421.tif 000009
【図８】
2012098421.tif 000010
【図９】
2012098421.tif 000011
【図１０】
2012098421.tif 000012
【図１１】
2012098421.tif 000013
【図１２】
2012098421.tif 000014
【図１３】
2012098421.tif 000015
【図１４】
2012098421.tif 000016
【図１５】
2012098421.tif 000017
【図１６】
2012098421.tif 000018
【図１７】
2012098421.tif 000019
【図１８】
2012098421.tif 000020
【図１９】
2012098421.tif 000021
【図２０】
2012098421.tif 000022
【図２１】
2012098421.tif 000023